(57)【特許請求の範囲】
【請求項１】
第１導入口と、前記第１導入口とは異なる位置にある第２導入口と、前記第１導入口に挿入された媒体と前記第２導入口に挿入された媒体とがそれぞれ案内される搬送ガイドと、が設けられた筐体と、
開位置と閉位置との間で変位可能に前記筐体に支持され、前記閉位置にある状態で前記第１導入口を覆い、前記開位置にある状態で前記第１導入口を開放するとともに前記第１導入口に挿入される媒体を支持可能な供給トレイと、
前記筐体内に設けられ、前記搬送ガイドに案内された媒体を搬送する搬送部と、
前記筐体内に設けられ、前記搬送部によって搬送される媒体の第１面の画像を読み取る第１読取部と、
前記筐体内に設けられ、前記供給トレイが前記閉位置から前記開位置に変位するときに、前記第１読取部を第１位置で支持される状態に切り替える一方、前記供給トレイが前記開位置から前記閉位置に変位するときに、前記第１読取部を第２位置で支持される状態に切り替える位置切替機構と、
を備えていることを特徴とする画像読取装置。
【請求項２】
前記位置切替機構は、
前記供給トレイが前記閉位置から前記開位置に変位する動作により発生する第１変位と、前記供給トレイが前記開位置から前記閉位置に変位する動作により発生する第２変位と、を伝達する開閉駆動伝達部と、
第１切替位置と第２切替位置との間で切替可能であって、前記第１切替位置にあるときに前記第１読取部を前記第１位置に変位させ、前記第２切替位置にあるときに前記第１読取部を前記第２位置に変位させる切替部材と、
前記開閉駆動伝達部から前記第１変位又は前記第２変位が伝達され、前記第１変位によって前記切替部材を前記第１切替位置に変位させる一方、前記第２変位によって前記切替部材を前記第２切替位置に変位させる伝達部と、
を有している請求項１記載の画像読取装置。
【請求項３】
前記伝達部は、
前記第１変位によって正回転する一方、前記第２変位によって逆回転する太陽ギヤと、
前記太陽ギヤと噛み合う第１遊星ギヤと、
前記太陽ギヤと噛み合う第２遊星ギヤと、
前記太陽ギヤの回転軸心周りに回動可能であり、前記第１遊星ギヤを第１軸心周りに回転可能に支持するとともに、前記第２遊星ギヤを第２軸心周りに回転可能に支持する連結部と、
を有し、
前記連結部が前記太陽ギヤの前記正回転に伴って前記正回転方向に回動することにより、前記第１遊星ギヤが前記切替部材に当接して前記切替部材を前記第１切替位置に変位させ、
前記連結部が前記太陽ギヤの前記逆回転に伴って前記逆回転方向に回動することにより、前記第２遊星ギヤが前記切替部材に当接して前記切替部材を前記第２切替位置に変位させる請求項２記載の画像読取装置。
【請求項４】
前記切替部材は、前記第１切替位置と前記第２切替位置との間で前記切替部材が変位する変位方向に沿って、それぞれ直線状に歯が並ぶ第１歯と第２歯とを有する板状部分を有し、
前記第１遊星ギヤが前記切替部材に当接したときに、前記第１歯と前記第１遊星ギヤとが噛み合い、
前記第２遊星ギヤが前記切替部材に当接したときに、前記第２歯と前記第２遊星ギヤとが噛み合う請求項３記載の画像読取装置。
【請求項５】
前記板状部分は、前記変位方向における前記第１歯と前記第２歯とに挟まれた領域において歯が切り欠かれている請求項４記載の画像読取装置。
【請求項６】
前記位置切替機構は、
前記筐体の外部に取っ手部が露出するように設けられ、前記取っ手部の移動によって第３切替位置と第４切替位置との間で切替可能である切替スイッチ部を有し、
前記切替部材と前記切替スイッチ部とは、前記切替部材が前記第１切替位置にあれば前記切替スイッチ部が前記第３切替位置にあり、前記切替部材が前記第２切替位置にあれば前記切替スイッチ部が前記第４切替位置にあるように、連動して変位可能である請求項５記載の画像読取装置。
【請求項７】
前記第１遊星ギヤは、前記第１歯と所定の圧力角で噛み合い可能であり、
前記取っ手部の移動によって前記切替スイッチ部が前記第３切替位置から前記第４切替位置に切り替えられる際、前記第１歯が前記第１遊星ギヤを押す力が前記所定の圧力角に対応する方向に作用することによって前記連結部が前記逆回転方向に回動し、前記第１遊星ギヤと前記第２遊星ギヤとがそれぞれ、前記第１歯及び前記第２歯と噛み合わなくなる請求項６記載の画像読取装置。
【請求項８】
前記第２遊星ギヤは、前記第２歯と所定の圧力角で噛み合い可能であり、
前記取っ手部の移動によって前記切替スイッチ部が前記第４切替位置から前記第３切替位置に切り替えられる際、前記第２歯が前記第２遊星ギヤを押す力が前記所定の圧力角に対応する方向に作用することによって前記連結部が前記正回転方向に回動し、前記第１遊星ギヤと前記第２遊星ギヤとがそれぞれ、前記第１歯及び前記第２歯と噛み合わなくなる請求項６又は７記載の画像読取装置。
【請求項９】
前記伝達部は、前記切替部材の上方に設けられている請求項８記載の画像読取装置。
【請求項１０】
前記供給トレイは、前記閉位置にある状態で前記取っ手部を覆う一方、前記開位置にある状態で前記取っ手部を開放する請求項９記載の画像読取装置。
【請求項１１】
前記筐体内に設けられ、前記搬送部によって搬送される媒体の第２面の画像を読み取る第２読取部を備えている請求項１乃至１０のいずれか１項記載の画像読取装置。
【請求項１２】
前記供給トレイに支持されて前記第１導入口に挿入される媒体はシートであり、
前記第２導入口に挿入される媒体は前記シートよりも厚いカードである請求項１乃至１１のいずれか１項記載の画像読取装置。
【発明の詳細な説明】
【技術分野】
【０００１】
本発明は画像読取装置に関する。
【背景技術】
【０００２】
特許文献１に従来の画像読取装置の一例である調整可能式スキャナが開示されている。この調整可能式スキャナは、第一接触式センサー、上蓋及び第二接触式センサーを有している。第一接触式センサーは底台上に取り付けられ、底台の上表面に露出している。上蓋は底台上に取り付けられ、第一接触式センサーの上方に位置している。第二接触式センサーは、上下に移動するように上蓋上に取り付けられ、上蓋の下表面に露出している。第二接触式センサーと第一接触式センサーとの間には、スキャン通路が形成されている。この調整可能式スキャナでは、ユーザが調節スイッチを操作して第二接触式センサーを上下に移動させることで、スキャン通路の大きさを調節可能となっており、厚みの異なるスキャン対象に適応可能となっている。
【先行技術文献】
【特許文献】
【０００３】
【特許文献１】実用新案登録第３２０４８１５号公報
【発明の概要】
【発明が解決しようとする課題】
【０００４】
ところで、上記の調整可能式スキャナと同様な構成を備える画像読取装置を想定する。この画像読取装置では、筐体に、第１導入口、第２導入口及び搬送ガイドが設けられる。第２導入口は、第１導入口とは異なる位置にある。搬送ガイドには、第１導入口に挿入された媒体と第２導入口に挿入された媒体とがそれぞれ案内される。また、筐体内には、搬送部及び第１読取部が設けられる。搬送部は、搬送ガイドに案内された媒体を搬送する。第１読取部は、搬送部によって搬送される媒体の第１面の画像を読み取る。
【０００５】
この場合において、第１導入口と第２導入口とに厚みの異なる媒体が挿入されることが多い。そして、厚みの異なる媒体に対応するために第１読取部の位置を切り替える場合、ユーザによる切替操作が必須となり、ユーザの利便性を向上させることが難しいという問題がある。
【０００６】
本発明は、上記従来の実情に鑑みてなされたものであって、ユーザの利便性を向上させることができる画像読取装置を提供することを目的とする。
【課題を解決するための手段】
【０００７】
本発明の画像読取装置は、第１導入口と、前記第１導入口とは異なる位置にある第２導入口と、前記第１導入口に挿入された媒体と前記第２導入口に挿入された媒体とがそれぞれ案内される搬送ガイドと、が設けられた筐体と、
開位置と閉位置との間で変位可能に前記筐体に支持され、前記閉位置にある状態で前記第１導入口を覆い、前記開位置にある状態で前記第１導入口を開放するとともに前記第１導入口に挿入される媒体を支持可能な供給トレイと、
前記筐体内に設けられ、前記搬送ガイドに案内された媒体を搬送する搬送部と、
前記筐体内に設けられ、前記搬送部によって搬送される媒体の第１面の画像を読み取る第１読取部と、
前記筐体内に設けられ、前記供給トレイが前記閉位置から前記開位置に変位するときに、前記第１読取部を第１位置で支持される状態に切り替える一方、前記供給トレイが前記開位置から前記閉位置に変位するときに、前記第１読取部を第２位置で支持される状態に切り替える位置切替機構と、
を備えていることを特徴とする。
【０００８】
本発明の画像読取装置では、ユーザが供給トレイを閉位置から開位置に変位させると、位置切替機構は、第１読取部を第１位置で支持される状態に切り替える。
【０００９】
また、ユーザが供給トレイを開位置から閉位置に変位させると、供給トレイが第１導入口を覆い、位置切替機構は、第１読取部を第２位置で支持される状態に切り替える。
【００１０】
つまり、本発明の画像読取装置では、供給トレイの開閉に応じて、ユーザの切替操作無しで第１読取部の位置を切り替えて、第１導入口に挿入される媒体の第１面の画像と、第２導入口に挿入される媒体の第１面の画像とをそれぞれ好適に読み取ることができる。
【００１１】
したがって、本発明の画像読取装置では、ユーザの利便性を向上させることができる。
【図面の簡単な説明】
【００１２】
【図１】実施例の画像読取装置に係り、供給トレイが開位置にある状態を示す斜視図である。
【図２】実施例の画像読取装置に係り、供給トレイが開位置にある状態を示す模式上面図である。
【図３】図２のＡ−Ａ断面を示す模式断面図であって、供給トレイが開位置にあり、第１読取部が第１位置にある状態を示す図である。
【図４】図２のＢ−Ｂ断面を示す模式断面図であって、供給トレイが閉位置にあり、第１読取部が第２位置にある状態を示す図である。
【図５】図２のＣ−Ｃ断面を示す模式断面図であって、供給トレイが開位置にある状態における位置切替機構等を示す図である。
【図６】図５の矢視Ｚ方向から見た模式上面図であって、供給トレイが開位置にある状態における位置切替機構等を示す図である。
【図７】図６のＤ−Ｄ断面を示す模式断面図であって、切替部材が第１切替位置に変位し、切替スイッチ部が第３切替位置に変位した状態を示す図である。
【図８】図７と同様の断面を示す模式断面図であって、供給トレイが開位置から閉位置に変位することにより、切替部材が第１切替位置から第２切替位置に向けて変位し、切替スイッチ部が第３切替位置から第４切替位置に向けて変位する途中の状態を示す図である。
【図９】図７と同様の断面を示す模式断面図であって、切替部材が第２切替位置に変位し、切替スイッチ部が第４切替位置に変位した状態を示す図である。
【図１０】図７と同様の断面を示す模式断面図であって、供給トレイが閉位置から開位置に変位することにより、切替部材が第２切替位置から第１切替位置に向けて変位し、切替スイッチ部が第４切替位置から第３切替位置に向けて変位する途中の状態を示す図である。
【図１１】図７と同様の断面を示す模式断面図であって、切替スイッチ部の取っ手部がユーザによって移動されるにより、第１遊星ギヤ及び第２遊星ギヤが浮き上がる動作等を説明する図である。
【図１２】板状部分の歯が第１遊星ギヤを押す力が所定の圧力角に対応する方向に作用することによって連結部が逆回転方向に回動する動作等を説明する模式図である。
【発明を実施するための形態】
【００１３】
以下、本発明を具体化した実施例について図面を参照しつつ説明する。
【００１４】
（実施例）
図１に示すように、実施例の画像読取装置１は、本発明の画像読取装置の具体的態様の一例である。図１では、筐体１０における排出口１３が配置される側を装置の前側と規定し、排出口１３に対向した場合に左手に来る側を左側と規定する。そして、図２以降に示す前後、左右及び上下の各方向は、全て図１に対応させて表示する。以下、図１等に基づいて、画像読取装置１が備える各構成要素について説明する。
【００１５】
＜全体構成＞
図１〜図４に示すように、画像読取装置１は、筐体１０を備えている。筐体１０は、上シュート部材２５、下シュート部材２６及び下フレーム部材２７等が組み合わされ、それらが外装部材によって覆われてなる略箱状体である。筐体１０には、第１導入口１１、排出口１３、搬送ガイド２０、第２導入口１２、スイッチバック用開口１４及びスイッチバック用ガイド２４が設けられている。
【００１６】
第１導入口１１は、筐体１０の上壁１５の後端部と、筐体１０の後壁１７の上端部との間に形成されている。第１導入口１１は、上シュート部材２５の後端部２５Ｅと下シュート部材２６の後端部２６Ｅとの間で左右方向に細長く延びる略矩形状の開口部である。図１及び図３に示すように、第１導入口１１にはシートＳＨが挿入される。シートＳＨは、例えば、用紙やＯＨＰシート等である。シートＳＨは、本発明の「媒体」の一例である。シートＳＨは、例えば、幅の広いものではレターサイズやＡ４サイズの用紙等であり、幅の狭いものでは葉書等である。なお、幅の狭い名刺やカード等であって用紙等と同様に薄く曲り易いものは、第１導入口１１に挿入可能なシートＳＨに含まれ得る。第１導入口１１の左右方向の長さは、最大サイズのシートＳＨの幅よりも若干大きく設定されている。
【００１７】
図１〜図４に示すように、排出口１３は、筐体１０の前壁１６における上下方向の中間部に形成されている。排出口１３は、左右方向に細長く延びる略矩形状の開口部である。図１及び図３に示すように、排出口１３からシートＳＨが排出される。排出口１３の左右方向の長さは、第１導入口１１と同様に、最大サイズのシートＳＨの幅よりも若干大きく設定されている。
【００１８】
図３及び図４に示すように、下シュート部材２６には、搬送面２６Ｇが形成されている。搬送面２６Ｇは、後端部２６Ｅから前向きに下り傾斜している。上シュート部材２５には、案内面２５Ｇが形成されている。案内面２５Ｇは、後端部２５Ｅから搬送面２６Ｇに沿うように前向きに下り傾斜している。筐体１０内における下シュート部材２６の搬送面２６Ｇよりも前方かつ下方の位置には、第２読取ホルダ５６が配置されている。第２読取ホルダ５６の上面には、略水平に延びる搬送面５６Ｇが形成されている。筐体１０内における上シュート部材２５の案内面２５Ｇよりも前方の位置には、第１読取ホルダ５５が配置されている。第１読取ホルダ５５の下面には、搬送面５６Ｇに対向しつつ略水平に延びる案内面５５Ｇが形成されている。
【００１９】
搬送ガイド２０は、第１ガイド２１及び第２ガイド２２を有している。第１ガイド２１は、下シュート部材２６の搬送面２６Ｇと、上シュート部材２５の案内面２５Ｇとを含んで構成されている。第１ガイド２１の後端は、第１導入口１１に接続している。第１導入口１１に挿入されたシートＳＨは、第１ガイド２１に案内される。第１ガイド２１は、そのシートＳＨを前向きに下り傾斜するように案内する。第２ガイド２２は、第２読取ホルダ５６の搬送面５６Ｇと、第１読取ホルダ５５の案内面５５Ｇとを含んで構成されている。第２ガイド２２の後端は、第１ガイド２１の前端に接続している。第２ガイド２２は、前向きに略水平に延びて排出口１３に至る。第２ガイド２２は、第１ガイド２１によって案内されたシートＳＨを排出口１３に向けて案内する。
【００２０】
図１及び図２に示すように、排出口１３の右部分は、第２導入口１２を兼ねている。つまり、第２導入口１２は、筐体１０の前壁１６の右部分に形成されており、第１導入口１１とは異なる位置にある。第２導入口１２にはカードＣＡが挿入される。カードＣＡは、小面積の枚葉である。カードＣＡは、例えば、名刺、キャッシュカード、会員証又は免許証等である。カードＣＡも、本発明の「媒体」の一例である。第２導入口１２の左右方向の長さは、カードＣＡの幅よりも若干大きく設定されている。カードＣＡは主にブラスチック製又は厚紙製であるため、シートＳＨよりも厚みが大きく曲り難い。
【００２１】
例えば、国際標準化機構（ＩＳＯ）／国際電気標準会議（ＩＥＣ）による国際規格ＩＤ−１に準拠したカードＣＡの場合、短辺の長さは５３．９８ｍｍであり、長辺の長さは８５．６０ｍｍであり、厚さは０．７６ｍｍである。
【００２２】
第２導入口１２に挿入されたカードＣＡは、第２ガイド２２の右部分に案内される。第２ガイド２２の右部分は、そのカードＣＡを後向きに案内した後、前向きに案内する。
【００２３】
図２及ぶ図４に示すように、スイッチバック用開口１４は、筐体１０の後壁１７の右部分に形成されている。スイッチバック用開口１４は、第２ガイド２２を後向きに延長した位置に配置されている。スイッチバック用開口１４は、カードＣＡの幅及び厚さよりも若干大きく設定された略形状の開口部である。
【００２４】
図４に示すように、下フレーム部材２７には、搬送面２７Ｈが形成されている。搬送面２７Ｈは、第２ガイド２２の後端側からスイッチバック用開口１４まで延びている。下シュート部材２６の下面には、案内面２６Ｈが形成されている。案内面２６Ｈは、第２ガイド２２の後端側から搬送面２７Ｈに沿うようにスイッチバック用開口１４まで延びている。
【００２５】
スイッチバック用ガイド２４は、下フレーム部材２７の搬送面２７Ｈと、下シュート部材２６の案内面２６Ｈとを含んで構成されている。スイッチバック用ガイド２４は、第２ガイド２２の右部分によって後向きに案内されたカードＣＡをスイッチバック用開口１４に向けて後向きに案内する。スイッチバック用開口１４は、そのスイッチバック用ガイド２４に案内されたカードＣＡの後方の端部を筐体１０の外部に露出させる。その後、スイッチバック用ガイド２４は、そのカードＣＡを第２ガイド２２の右部分に向けて前向きに案内する。さらに、第２ガイド２２の右部分は、そのカードＣＡを排出口１３の右部分に向けて前向きに案内する。
【００２６】
図１〜図４に示すように、画像読取装置１は、供給トレイ３０を備えている。供給トレイ３０は、図１〜図３に示す開位置と、図４に示す閉位置との間で変位可能に筐体１０に支持されている。より詳しくは、供給トレイ３０は、トレイ本体部３１、トレイ先端部３２及びカバー部３３を有している。トレイ本体部３１、トレイ先端部３２及びカバー部３３はそれぞれ、略平板形状とされている。
【００２７】
トレイ本体部３１は、回動軸心Ｘ３１周りに回動可能に筐体１０に支持されている。回動軸心Ｘ３１は、第１導入口１１よりも後方、かつ上方の位置で左右方向に延びている。
【００２８】
トレイ先端部３２は、トレイ本体部３１における回動軸心Ｘ３１から遠い端縁側において、トレイ本体部３１に連結されている。
【００２９】
カバー部３３は、回動軸心Ｘ３３周りに回動可能に筐体１０に支持されている。回動軸心Ｘ３３は、筐体１０の後壁１７の上端よりも若干上方の位置で左右方向に延びている。
【００３０】
供給トレイ３０が図１等に示す開位置にある状態では、トレイ本体部３１及びトレイ先端部３２が下シュート部材２６の搬送面２６Ｇに連続するように後向きに上り傾斜し、第１導入口１１を開放している。カバー部３３は、回動軸心Ｘ３３から後向きに上り傾斜するように延びて、その上端をトレイ本体部３１の下を向く面に当接させている。
【００３１】
この状態で、供給トレイ３０は、トレイ本体部３１及びトレイ先端部３２の上を向く面によって、第１導入口１１に挿入されるシートＳＨを支持可能である。図１に示すように、トレイ本体部３１には、２つの幅規制ガイド３４Ａ、３４Ｂがそれぞれ左右方向にスライド可能に設けられている。左方の幅規制ガイド３４Ａと右方の幅規制ガイド３４Ｂとが互いに接近又は離間することにより、供給トレイ３０に支持されるサイズの異なる複数種類のシートＳＨを左右から挟む。これにより、様々なサイズのシートＳＨを第１導入口１１における幅方向の中央部を基準として位置決めできる。
【００３２】
供給トレイ３０が図４に示す閉位置にある状態では、トレイ本体部３１が回動軸心Ｘ３１から前向きに緩やかに下り傾斜するように延びて、筐体１０の上壁１５を上から覆う。トレイ先端部３２がトレイ本体部３１における回動軸心Ｘ３１から遠い端縁から下向きに延びて、筐体１０の前壁１６を前から覆う。この際、トレイ先端部３２の下端は、排出口１３及び第２導入口１２よりも上方に位置している。カバー部３３は、回動軸心Ｘ３３から上向きに延びて、その上端をトレイ本体部３１における回動軸心Ｘ３１側の端縁に当接させる。この状態で、供給トレイ３０は、第１導入口１１を覆う一方、排出口１３及び第２導入口１２を覆わない。
【００３３】
供給トレイ３０が図３に示す開位置から図４に示す閉位置に変位する際にトレイ本体部３１が回動する角度は、本実施例では９０°以上であり、より具体的には１２０°〜１６０°程度である。
【００３４】
＜駆動制御＞
画像読取装置１は、図３及び図４に示す制御部２と、図２及び図５に示す駆動源４Ｍと、図２〜図４に示す搬送部４と、第１読取部５１及び第２読取部５２とを備えている。制御部２は、駆動源４Ｍと、搬送部４と、第１読取部５１及び第２読取部５２とに電気的に接続されている。
【００３５】
図３等に示すように、制御部２は、筐体１０における下フレーム部材２７よりも下方の空間に収容されている。制御部２は、ＣＰＵ等を含む電子回路が搭載された制御基板である。制御部２は、駆動源４Ｍ、第１読取部５１及び第２読取部５２を制御する。
【００３６】
＜駆動源＞
図２及び図５に示すように、駆動源４Ｍは、筐体１０における左側面と搬送ガイド２０との間の空間に収容されている。駆動源４Ｍは、図示しないモータ及び伝達ギヤ群を有している。駆動源４０Ｍは、そのモータが制御部２に制御されて作動することにより駆動力を発生し、搬送部４を駆動する。
【００３７】
＜搬送部＞
図２〜図４に示すように、搬送部４は、分離ローラ４８、分離パッド４９、３組の第１搬送ローラ対４１Ａ、４１Ｂ、４１Ｄ及び４組の第２搬送ローラ対４２Ａ、４２Ｂ、４２Ｃ、４２Ｄを有している。
【００３８】
図３に示すように、分離ローラ４８は、筐体１０の図示しない内部フレームに回転可能に支持されている。分離ローラ４８の外周面の上側の一部は、下シュート部材２６の搬送面から第１ガイド２１に露出している。分離ローラ４８は、第１ガイド２１における左右方向の中央部に配置されている。
【００３９】
分離パッド４９は、上シュート部材２５の案内面２５Ｇから第１ガイド２１に露出する状態で、分離ローラ４８に向けて押圧されている。分離パッド４９は、ゴムやエラストマー等の摩擦部材からなる板状体である。
【００４０】
第１導入口１１からシートＳＨが挿入される場合、制御部２に制御されて作動する駆動源４Ｍによって、分離ローラ４８が回転駆動される。分離ローラ４８は、供給トレイ３０に支持され、第１導入口１１に挿入されたシートＳＨに当接しつつ回転することにより、そのシートＳＨを第１ガイド２１において搬送し、第２ガイド２２に向けて送り出す。分離パッド４９は分離ローラ４８と協働し、第１ガイド２１において搬送されるシートＳＨが複数枚であれば一枚ずつに分離する。
【００４１】
図２〜図４に示すように、第１搬送ローラ対４１Ａ、４１Ｂ、４１Ｄはそれぞれ、駆動源４Ｍに回転駆動される駆動ローラと、その駆動ローラに上から対向する従動ローラとからなる。第１搬送ローラ対４１Ａ、４１Ｂ、４１Ｄのそれぞれの駆動ローラは、同じ回転軸に固定されている。第１搬送ローラ対４１Ａ、４１Ｂ、４１Ｄは、第２ガイド２２の後端側に配置されている。最も右側に位置する第１搬送ローラ対４１Ｄは、第２ガイド２２の右部分に配置されている。
【００４２】
第２搬送ローラ対４２Ａ、４２Ｂ、４２Ｃ、４２Ｄはそれぞれ、駆動源４Ｍに回転駆動される駆動ローラと、その駆動ローラに上から対向する従動ローラとからなる。第２搬送ローラ対４２Ａ、４２Ｂ、４２Ｃ、４２Ｄのそれぞれの駆動ローラは、同じ回転軸に固定されている。第２搬送ローラ対４２Ａ、４２Ｂ、４２Ｃ、４２Ｄは、第２ガイド２２の前端側に配置されている。最も右側に位置する第２搬送ローラ対４２Ｄは、第２ガイド２２の右部分に配置されている。
【００４３】
＜第１導入口からシートが挿入される場合の搬送動作＞
第１導入口１１からシートＳＨが挿入される場合、制御部２に制御されて作動する駆動源４Ｍによって、第１搬送ローラ対４１Ａ、４１Ｂ、４１Ｄのそれぞれの駆動ローラと、第２搬送ローラ対４２Ａ、４２Ｂ、４２Ｃ、４２Ｄのそれぞれの駆動ローラとが回転駆動される。
【００４４】
第１搬送ローラ対４１Ａ、４１Ｂ、４１Ｄは、分離ローラ４８によって搬送されて第２ガイド２２に到達したシートＳＨをニップして、第２搬送ローラ対４２Ａ、４２Ｂ、４２Ｃ、４２Ｄに向けて送り出す。第２搬送ローラ対４２Ａ、４２Ｂ、４２Ｃ、４２Ｄは、第１搬送ローラ対４１Ａ、４１Ｂ、４１Ｄによって前向きに搬送されて第１読取部５１及び第２読取部５２を通過したシートＳＨをニップして、排出口１３から排出する。
【００４５】
＜第２導入口からカードが挿入される場合の搬送動作＞
第２導入口１２からカードＣＡが挿入される場合、制御部２に制御されて作動する駆動源４Ｍによって、第１搬送ローラ対４１Ａ、４１Ｂ、４１Ｄのそれぞれの駆動ローラと、第２搬送ローラ対４２Ａ、４２Ｂ、４２Ｃ、４２Ｄのそれぞれの駆動ローラとが回転駆動される。この際、各駆動ローラの回転方向は、第１導入口１１からシートＳＨが挿入される場合とは反対方向となる。
【００４６】
最も右側に位置する第２搬送ローラ対４２Ｄは、そのカードＣＡをニップして、最も右側に位置する第１搬送ローラ対４１Ｄに向けて送り出す。第１搬送ローラ対４１Ｄは、第２搬送ローラ対４２Ｄによって後向きに搬送されて第１読取部５１及び第２読取部５２を通過したカードＣＡをニップして、そのカードＣＡの後方の端部をスイッチバック用ガイド２４に送り出す。そして、第１搬送ローラ対４１Ｄは、そのカードＣＡをニップしたまま、そのカードＣＡの後方の端部をスイッチバック用開口１４から筐体１０の外部に露出させる。
【００４７】
その後、制御部２に制御されて作動する駆動源４Ｍによって、第１搬送ローラ対４１Ａ、４１Ｂ、４１Ｄのそれぞれの駆動ローラと、第２搬送ローラ対４２Ａ、４２Ｂ、４２Ｃ、４２Ｄのそれぞれの駆動ローラとが上記とは反対方向に回転駆動される。第１搬送ローラ対４１Ｄは、そのカードＣＡを第２搬送ローラ対４２Ｄに向けて送り出す。第２搬送ローラ対４２Ｄは、第１搬送ローラ対４１Ｄによって前向きに搬送されたカードＣＡをニップして、排出口１３から排出する。
【００４８】
＜第１読取部＞
第１読取部５１は、上述した第１読取ホルダ５５と、第１読取ホルダ５５に保持された読取センサ５１Ｓとを含んで構成されている。第２読取部５２は、上述した第２読取ホルダ５６と、第２読取ホルダ５６に保持された読取センサ５２Ｓとを含んで構成されている。読取センサ５１Ｓ、５２Ｓとしては、ＣＩＳ（Ｃｏｎｔａｃｔ  Ｉｍａｇｅ  Ｓｅｎｓｏｒ）等の周知の画像読取センサが使用される。
【００４９】
第１読取部５１は、第２ガイド２２よりも上方の位置で支持されている。第１読取部５１は、第２ガイド２２によって案内されるシートＳＨの上面の画像を読取センサ５１Ｓによって読み取る。また、第１読取部５１は、第２ガイド２２の右部分によって案内されるカードＣＡの上面の画像を読取センサ５１Ｓによって読み取る。シートＳＨの上面及びカードＣＡの上面は、本発明の「搬送部によって搬送される媒体の第１面」の一例である。
【００５０】
＜第２読取部＞
第２読取部５２は、第２ガイド２２よりも下方の位置で支持されている。第２読取部５２は、第２ガイド２２によって案内されるシートＳＨの下面の画像を読取センサ５２Ｓによって読み取る。また、第２読取部５２は、第２ガイド２２の右部分によって案内されるカードＣＡの下面の画像を読取センサ５２Ｓによって読み取る。シートＳＨの下面及びカードＣＡの下面は、本発明の「搬送部によって搬送される媒体の第２面」の一例である。
【００５１】
＜位置切替機構の構成＞
図３及び図４に示すように、第２読取部５２の第２読取ホルダ５６は、下フレーム部材２７に変位不能に支持されている。その一方、第１読取部５１の第１読取ホルダ５５は、図示しないフレーム部材によって上下方向に変位可能に支持されている。
【００５２】
図２〜図７に示すように、画像読取装置１は、筐体１０内に設けられた位置切替機構６を備えている。位置切替機構６は、切替部材８０、開閉駆動伝達部６０、伝達部７０及び切替スイッチ部９０を有している。位置切替機構６は、以下に詳しく説明するように、第１読取部５１を図３に示すように第１位置で支持される状態と、図４に示すように第１位置よりも上方の第２位置で支持される状態とに切り替える。
【００５３】
＜第１位置及び第２位置の説明＞
図３に示すように、第１読取部５１が第１位置にある状態における第１読取ホルダ５５の案内面５５Ｇと第２読取ホルダ５６の搬送面５６Ｇとの間隔をＷ１とする。間隔Ｗ１は、第１導入口１１に挿入されるシートＳＨの一般的な厚みに対応する大きさに設定されている。
【００５４】
図４に示すように、第１読取部５１が第２位置にある状態における第１読取ホルダ５５の案内面５５Ｇと第２読取ホルダ５６の搬送面５６Ｇとの間隔をＷ２とする。間隔Ｗ２は、第２導入口１２に挿入されるカードＣＡの一般的な厚みに対応する大きさに設定されており、間隔Ｗ１よりも大きい。
【００５５】
＜切替部材＞
図２及び図３等に示すように、切替部材８０は、左右方向及び前後方向に延びる略矩形状の平板部材である。切替部材８０は、第１読取部５１よりも上方の位置で、左右方向に細長く延びている。切替部材８０は、図示しないフレーム部材によって、左右方向に往復移動可能に支持されている。
【００５６】
＜切替スイッチ部＞
図２〜図７に示すように、切替スイッチ部９０は、本実施例では、切替部材８０に一体成形されている。切替スイッチ部９０は、切替部材８０から上向きに突出している。切替スイッチ部９０は、略矩形断面の柱状体である。切替スイッチ部９０の上端部には、取っ手部９１が形成されている。
【００５７】
図１〜図３等に示すように、筐体１０の上壁１５には、略矩形状の取っ手部挿通穴１５Ｈが上下方向に貫通するように形成されている。取っ手部挿通穴１５Ｈ内には、取っ手部９１が突出している。つまり、切替スイッチ部９０は、筐体１０の外部に取っ手部９１が露出するように切替部材８０に設けられている。取っ手部挿通穴１５Ｈの左右方向の長さは、取っ手部９１が左右方向に変位可能に大きく設定されている。
【００５８】
＜第１切替位置及び第３切替位置の説明＞
図２、図６及び図７に示す切替部材８０の位置は、最も左方に変位した位置である。図２、図６及び図７に示す切替部材８０の位置を第１切替位置とする。切替部材８０が図７等に示す第１切替位置にある状態では、切替スイッチ部９０の取っ手部９１は、図２、図６及び図７に示すように、取っ手部挿通穴１５Ｈの左部分に位置している。図２、図６及び図７に示す切替スイッチ部９０の位置を第３切替位置とする。図１に実線で示す取っ手部９１の位置は、切替スイッチ部９０が第３切替位置にある状態に対応している。
【００５９】
＜第２切替位置及び第４切替位置の説明＞
図９及び図１１に示す切替部材８０の位置は、図７等に示す第１切替位置から最も右方に変位した位置である。図９及び図１１に示す切替部材８０の位置を第２切替位置とする。切替部材８０が図９等に示す第２切替位置にある状態では、切替スイッチ部９０の取っ手部９１は、図９及び図１１に示すように、取っ手部挿通穴１５Ｈの右部分に位置している。図９及び図１１に示す切替スイッチ部９０の位置を第４切替位置とする。図１に二点鎖線で示す取っ手部９１の位置は、切替スイッチ部９０が第４切替位置にある状態に対応している。
【００６０】
図８に示す切替部材８０の位置は、図７等に示す第１切替位置と、図９等に示す第２切替位置との間の位置である。図８に示す切替スイッチ部９０の位置は、図７等に示す第３切替位置と、図９等に示す第４切替位置との間の位置である。
【００６１】
つまり、切替部材８０と切替スイッチ部９０とは、切替部材８０が図７等に示す第１切替位置にあれば切替スイッチ部９０が図７等に示す第３切替位置にあり、切替部材８０が図９等に示す第２切替位置にあれば切替スイッチ部９０が図９等に示す第４切替位置にあるように、連動して変位可能である。
【００６２】
＜取っ手部＞
取っ手部９１は、供給トレイ３０が図４に示す閉位置にある状態で、トレイ本体部３１によって覆われる。その一方、取っ手部９１は、供給トレイ３０が図１等に示す開位置にある状態で開放される。この状態において、切替スイッチ部９０は、ユーザが取っ手部９１を左右方向に移動させることによって、図７等に示す第３切替位置と、図９等に示す第４切替位置との間で切替可能である。
【００６３】
この際にも、切替部材８０と切替スイッチ部９０とは、切替スイッチ部９０が図７等に示す第３切替位置にあれば、切替部材８０が図７等に示す第１切替位置にあり、切替スイッチ部９０が図９等に示す第４切替位置にあれば、切替部材８０が図９等に示す第２切替位置にあるように、連動して変位可能である。
【００６４】
＜第１読取部を第１位置と第２位置との間で変位させる構成＞
第１読取部５１における読取センサ５１Ｓの上面と図示しないフレーム部材との間には、圧縮コイルバネ５１Ｔが設けられている。圧縮コイルバネ５１Ｔは、第１読取部５１を下向きに付勢している。
【００６５】
図２及び図３等に示すように、第１読取ホルダ５５には、４つの伝達軸部５７が形成されている。各伝達軸部５７のうちの２つは、第１読取ホルダ５５の前面の上端部から前方に突出し、かつ左右方向において互いに離間している。各伝達軸部５７のうちの他の２つは、第１読取ホルダ５５の後面の上端部から後方に突出し、かつ左右方向において互いに離間している。
【００６６】
図２、図３及び図７等に示すように、切替部材８０は、４つの直動カム部８７を有している。各直動カム部８７は、第１読取ホルダ５５の各伝達軸部５７と一対一で対応する位置に配置されて、切替部材８０の下面に接続している。各直動カム部８７は、切替部材８０の下面から下向きに延びた後に屈曲して右向きに延びている。
【００６７】
図７等に示すように、各直動カム部８７における右向きに延びる部分の上面には、第１支持面８７Ａ、傾斜面８７Ｂ及び第２支持面８７Ｃが形成されている。第１支持面８７Ａは、略水平に延在する平坦面である。第２支持面８７Ｃは、第１支持面８７Ａに対して左方かつ上方に離間する位置で略水平に延在する平坦面である。傾斜面８７Ｂは、第１支持面８７Ａの左端と第２支持面８７Ｃの右端と接続する傾斜面である。第２支持面８７Ｃと第１支持面８７Ａとの高低差は、間隔Ｗ２−間隔Ｗ１と等しい大きさに設定されている。
【００６８】
切替部材８０が図７等に示す第１切替位置にあるときに、第１読取ホルダ５５の各伝達軸部５７は、各直動カム部８７の第１支持面８７Ａによって支持されて、上下方向において位置決めされる。図３は、切替部材８０が図７等に示す第１切替位置にあって、各伝達軸部５７が各直動カム部８７の第１支持面８７Ａによって支持された状態を示している。つまり、切替部材８０は、図７等に示す第１切替位置にあるときに、第１読取部５１を図３に示す第１位置に変位させる。
【００６９】
＜第１位置から第２位置への変位＞
切替部材８０が図７等に示す第１切替位置から右向きに、すなわち図７の直動方向Ｄ１に変位を開始すると、図８に示すように、第１読取ホルダ５５の各伝達軸部５７は、各直動カム部８７の傾斜面８７Ｂに押し上げられる。そして、切替部材８０が図９の直動方向Ｄ１に変位して図９等に示す第２切替位置に変位した状態になると、第１読取ホルダ５５の各伝達軸部５７は、各直動カム部８７の第２支持面８７Ｃによって支持されて、上下方向において位置決めされる。図４は、切替部材８０が図９等に示す第２切替位置にあって、各伝達軸部５７が各直動カム部８７の第２支持面８７Ｃによって支持された状態を示している。つまり、切替部材８０は、図９等に示す第２切替位置にあるときに、第１読取部５１を図４に示す第２位置に変位させる。
【００７０】
＜第２位置から第１位置への変位＞
切替部材８０が図９等に示す第２切替位置から左向きに、すなわち図９の直動方向Ｄ２に変位を開始すると、図１０に示すように、第１読取ホルダ５５の各伝達軸部５７は、各直動カム部８７の傾斜面８７Ｂに当接しながら下降する。そして、切替部材８０が図７の直動方向Ｄ２に変位して図７等に示す第１切替位置に変位した状態になると、第１読取ホルダ５５の各伝達軸部５７は、各直動カム部８７の第１支持面８７Ａによって支持されて、上下方向において位置決めされ、第１読取部５１を図３に示す第１位置に変位させる。
【００７１】
＜板状部分＞
図６及び図７に示すように、切替部材８０は、板状部分８５を有している。板状部分８５は、切替部材８０の左端縁と切替スイッチ部９０との間の位置で、切替部材８０の上面から一段高くなるように形成されている。板状部分８５は、第１切替位置と第２切替位置との間で切替部材８０が変位する変位方向、すなわち左右方向に沿って直線状に歯が並ぶラックギヤである。
【００７２】
板状部分８５の歯は、左方に位置する第１歯８１と、右方に位置する第２歯８２とからなっている。第１歯８１と第２歯８２とはそれぞれ、左右方向に並ぶ複数の歯の集合体である。第１歯８１と第２歯８２とは、左右方向において互いに離間している。板状部分８５は、第１歯８１と第２歯８２とに挟まれた領域において、すなわち変位方向の中央部８３において、歯が切り欠かれている。
【００７３】
＜開閉駆動伝達部＞
図２及び図５に示すように、開閉駆動伝達部６０は、筐体１０における左側面と搬送ガイド２０との間の空間に収容され、駆動源４Ｍよりも上方に配置されている。図５及び図６に示すように、開閉駆動伝達部６０は、第１プーリ６１、第２プーリ６２、タイミングベルト６３、第１ベベルギヤ６４、第２ベベルギヤ６５、第３プーリ６６、第４プーリ６７及びタイミングベルト６８を有している。
【００７４】
第１プーリ６１は、回動軸心Ｘ３１周りに供給トレイ３０のトレイ本体部３１と一体回転する回転軸６１Ｓの左端部に固定されている。第２プーリ６２は、回転軸６１Ｓよりも前方の位置で左右方向に延びる回転軸６２Ｓの左端部に固定されている。タイミングベルト６３は、第１プーリ６１と第２プーリ６２とに巻き掛けられている。
【００７５】
第１ベベルギヤ６４は、回転軸６２Ｓの右端部に固定されている。第２ベベルギヤ６５は、回転軸６２Ｓよりも前方の位置で前後方向に延びる回転軸６５Ｓの後端部に固定されて、第１ベベルギヤ６４と噛み合っている。
【００７６】
第３プーリ６６は、回転軸６５Ｓの前端部に固定されている。図６に示すように、第４プーリ６７は、回転軸６５Ｓよりも右方の位置で前後方向に延びる回転軸６７Ｓの後端部に固定されている。タイミングベルト６８は、第３プーリ６６と第４プーリ７２とに巻き掛けられている。回転軸６７Ｓの前端部は、切替部材８０の板状部分８５よりも上方の位置に突出している。
【００７７】
なお、回転軸６１Ｓ、６２Ｓ、６５Ｓ、６７Ｓは、筐体１０内の図示しないフレーム部材によって回転可能に支持されている。
【００７８】
＜開閉駆動伝達部が第１変位及び第２変位を回転軸に伝達する動作＞
開閉駆動伝達部６０は、供給トレイ３０が図４に示す閉位置から図１等に示す開位置に変位する動作により発生する第１変位、すなわち図５に示す回転軸６１Ｓの反時計方向の回動を回転軸６７Ｓに伝達する。回転軸６７Ｓは、第１変位によって図７〜図１１に示す正回転方向Ｒ１に回転する。正回転方向Ｒ１は、図７等の反時計方向である。
【００７９】
開閉駆動伝達部６０は、供給トレイ３０が図１等に示す開位置から図４に示す閉位置に変位する動作により発生する第２変位、すなわち図５に示す回転軸６１Ｓの時計方向の回動を回転軸６７Ｓに伝達する。回転軸６７Ｓは、第２変位によって図７〜図１１に示す逆回転方向Ｒ２に回転する。逆回転方向Ｒ２は、図７等の時計方向である。
【００８０】
＜伝達部＞
図６及び図７に示すように、伝達部７０は、切替部材８０の板状部分８５の上方に設けられている。伝達部７０は、太陽ギヤ７５、第１遊星ギヤ７１、第２遊星ギヤ７２及び連結部７３を有している。
【００８１】
太陽ギヤ７５は、開閉駆動伝達部６０の回転軸６７Ｓの前端部に固定されて、回転軸心Ｘ７５周りに回転可能である。図７等に示すように、太陽ギヤ７５は、回転軸６７Ｓが第１変位によって正回転方向Ｒ１に回転することにより正回転する。太陽ギヤ７５は、回転軸６７Ｓが第２変位によって逆回転方向Ｒ２に回転することにより逆回転する。
【００８２】
第１遊星ギヤ７１は、回転軸心Ｘ７５よりも左方の位置で、太陽ギヤ７５と噛み合っている。第２遊星ギヤ７２は、回転軸心Ｘ７５よりも右方の位置で、太陽ギヤ７５と噛み合っている。
【００８３】
連結部７３は、太陽ギヤ７５よりも後方の位置に配置された略平板部材である。連結部７３は、回転軸６７Ｓを挿通させることにより、太陽ギヤ７５の回転軸心Ｘ７５周りに回動可能となっている。連結部７３は、回転軸心Ｘ７５から左方に遠ざかるように延びる第１アーム７３Ａと、回転軸心Ｘ７５から右方に遠ざかるように延びる第２アーム７３Ｂとを有している。
【００８４】
連結部７３は、第１アーム７３Ａによって、第１遊星ギヤ７１を第１軸心Ｘ７１周りに回転可能に支持している。また、連結部７３は、第２アーム７３Ｂによって、第２遊星ギヤ７２を第２軸心Ｘ７２周りに回転可能に支持している。これにより、第１遊星ギヤ７１は、第１軸心Ｘ７１周りに自転可能であるとともに、回転軸心Ｘ７５周りに公転可能となっている。また、第２遊星ギヤ７２は、第２軸心Ｘ７２周りに自転可能であるとともに、回転軸心Ｘ７５周りに公転可能となっている。
【００８５】
＜供給トレイが開位置から閉位置に変位することによる伝達部の動作＞
供給トレイ３０が図１等に示す開位置から図４に示す閉位置に変位すると、開閉駆動伝達部６０が第２変位を回転軸６７Ｓに伝達して太陽ギヤ７５が逆回転する。そして、連結部７３が太陽ギヤ７５の逆回転に伴って逆回転方向Ｒ２に回動する。具体的には、連結部７３が図７に示す位置から図８に示す位置に回動する。これにより、第２遊星ギヤ７２が切替部材８０に当接し、板状部分８５の第２歯８２と第２遊星ギヤ７２とが噛み合う。この状態で、第２遊星ギヤ７２が逆回転方向Ｒ２とは反対方向に回転することにより、図８及び図９の直動方向Ｄ１に切替部材８０を変位させる。その結果、図９に示すように、切替部材８０が第２切替位置に変位した状態となる。こうして、位置切替機構６は、供給トレイ３０が図１等に示す開位置から図４に示す閉位置に変位するときに、第１読取部５１を図４に示す第２位置で支持される状態に切り替える。
【００８６】
図９に示すように、切替部材８０が第２切替位置に変位した状態では、板状部分８５の歯が切り欠かれた中央部８３と第２遊星ギヤ７２とが対向する。その結果、切替部材８０を第２切替位置に確実に停止させることができる。
【００８７】
＜供給トレイが閉位置から開位置に変位することによる伝達部の動作＞
その一方、供給トレイ３０が図４に示す閉位置から図１等に示す開位置に変位すると、開閉駆動伝達部６０が第１変位を回転軸６７Ｓに伝達して太陽ギヤ７５が正回転する。そして、連結部７３が太陽ギヤ７５の逆回転に伴って、図９に示す位置から正回転方向Ｒ１に回動する。具体的には、連結部７３が図９に示す位置から図１０に示す位置に回動する。これにより、第１遊星ギヤ７１が切替部材８０に当接し、板状部分８５の第１歯８１と第１遊星ギヤ７１とが噛み合う。この状態で、第１遊星ギヤ７１が正回転方向Ｒ１とは反対方向に回転することにより、図１０及び図７の直動方向Ｄ２に切替部材８０を変位させる。その結果、図７に示すように、切替部材８０が第１切替位置に変位した状態となる。こうして、位置切替機構６は、供給トレイ３０が図４に示す閉位置から図１等に示す開位置に変位するときに、第１読取部５１を図３に示す第１位置で支持される状態に切り替える。
【００８８】
図７に示すように、切替部材８０が第１切替位置に変位した状態では、板状部分８５の歯が切り欠かれた中央部８３と第１遊星ギヤ７１とが対向する。その結果、切替部材８０を第１切替位置に確実に停止させることができる。
【００８９】
＜ユーザ操作により切替スイッチ部を第３切替位置と第４切替位置とに切り替える動作＞
供給トレイ３０が図１等に示す開位置にあって取っ手部９１が開放された状態において、ユーザが取っ手部９１を左右方向に移動させることによって切替スイッチ部９０を図７等に示す第３切替位置と、図９等に示す第４切替位置とに切り替える際、伝達部７０の第１遊星ギヤ７１及び第２遊星ギヤ７２は、図１１に示すように、板状部分８５の第１歯８１及び第２歯８２から浮き上がって、その切替動作を阻害しないようになっている。
【００９０】
すなわち、図１２に示すように、第１遊星ギヤ７１は、板状部分８５の第１歯８１と所定の圧力角α１で噛み合い可能である。ギヤの圧力角の定義は周知であるので説明は省略する。本実施例では、所定の圧力角α１は２０°である。図１２では、第１遊星ギヤ７１及び第１歯８１の形状を簡略して図示している。このため、圧力角α１も実際より大きく図示されている。図示は省略するが、第２遊星ギヤ７は、第１遊星ギヤ７１と同様に、板状部分８５の第２歯８２と所定の圧力角α１で噛み合い可能である。
【００９１】
ユーザが取っ手部９１を右向きに移動させる際、板状部分８５の第１歯８１が第１遊星ギヤ７１を押す力Ｆ１は、所定の圧力角α１に対応する方向に、すなわち第１遊星ギヤ７１と第１歯８１との接触面の法線方向に作用する。力Ｆ１は、太陽ギヤ７５の回転軸心Ｘ７５の周方向、かつ図１２の時計方向に作用する。図７に示す力Ｆ１によって連結部７３が図７に示す位置から逆回転方向Ｒ２に回動し、図１１に示す位置に変位する。その結果、第１遊星ギヤ７１が板状部分８５の第１歯８１と噛み合わなくなるとともに、第２遊星ギヤ７２が板状部分８５の第２歯８２と噛み合わなくなる。
【００９２】
図９に示す位置にある取っ手部９１を図７に示す位置まで変位させるため、ユーザが取っ手部９１を左向きに移動させる際、板状部分８５の第２歯８２が図９に示す力Ｆ２で第２遊星ギヤ７２を押す。力Ｆ２は、所定の圧力角α１に対応する方向に、すなわち第２遊星ギヤ７２と第２歯８２との接触面の法線方向に作用する。力Ｆ２は、太陽ギヤ７５の回転軸心Ｘ７５の周方向、かつ図９の反時計方向に作用する。このため、力Ｆ２によって連結部７３が図９に示す位置から正回転方向Ｒ１に回動し、図１１と同様に、第１遊星ギヤ７１が板状部分８５の第１歯８１と噛み合わなくなるとともに、第２遊星ギヤ７２が板状部分８５の第２歯８２と噛み合わなくなる。
【００９３】
こうして、ユーザは、供給トレイ３０が図１等に示す開位置にあって取っ手部９１が開放された状態において、シートＳＨの厚みに応じて取っ手部９１を左右方向に移動させ、切替スイッチ部９０を図７等に示す第３切替位置と、図９等に示す第４切替位置とに切り替えることにより、第１読取部５１を図３に示す第１位置と図４に示す第２位置とに切り替えることができる。
【００９４】
供給トレイ３０が図１等に示す開位置にあってユーザが取っ手部９１を右向きに移動させて切替スイッチ部９０を図１１に示す第４切替位置に切り替えた後、第１読取部５１が図４に示す第２位置で支持される状態のままで、ユーザが供給トレイ３０を図４に示す閉位置に変位させる場合がある。この場合、図１１に示すように、切替部材８０が第２切替位置にあり、板状部分８５の歯が切り欠かれた中央部８３と第２遊星ギヤ７２とが対向している。このため、第２変位によって連結部７３が図１１に示す位置から逆回転方向Ｒ２に回動し、第２遊星ギヤ７２が切替部材８０に当接しても、第２遊星ギヤ７２は空転するだけであって、切替部材８０は動かない。その結果、第１読取部５１が図４に示す第２位置で支持される状態のままで、供給トレイ３０が図４に示す閉位置に変位する。
【００９５】
＜作用効果＞
実施例の画像読取装置１では、第２導入口１２のサイズを第１導入口１１のサイズとは異なるように設定している。具体的には、供給トレイ３０が第１導入口１１に挿入されるシートＳＨを支持可能であることから、第１導入口１１を薄いシートＳＨのために使用し、第２導入口１２を厚いカードＣＡのために使用する。
【００９６】
そして、ユーザは、第１導入口１１にシートＳＨを挿入しようとする場合、シートＳＨを供給トレイ３０に支持させるために、供給トレイ３０を図４に示す閉位置から図１等に示す開位置に変位させる。これにより、供給トレイ３０が第１導入口１１を開放する。すると、図３及び図７に示すように、位置切替機構６は、第１読取部５１を第１位置で支持される状態に切り替える。ここで、図３に示すように、第１導入口１１に挿入されるシートＳＨの厚みに応じて第１位置を設定することで、すなわち、第１読取ホルダ５５の案内面５５Ｇと第２読取ホルダ５６の搬送面５６Ｇとの間隔Ｗ１をシートＳＨの厚みに応じて設定することで、第１読取部５１は、第１導入口１１に挿入されて搬送ガイド２０に案内されるシートＳＨの上面の画像を好適に読み取ることができる。
【００９７】
また、ユーザは、第２導入口１２にカードＣＡを挿入しようとする場合、供給トレイ３０を使用しないので、供給トレイ３０を図１等に示す開位置から図４に示す閉位置に変位させる。これにより、供給トレイ３０が第１導入口１１を覆う。すると、図４及び図９に示すように、位置切替機構６は、第１読取部５１を第２位置で支持される状態に切り替える。ここで、第２導入口１２に挿入されるカードＣＡの厚みに応じて第２位置を設定することで、すなわち、第１読取ホルダ５５の案内面５５Ｇと第２読取ホルダ５６の搬送面５６Ｇとの間隔Ｗ２をカードＣＡの厚みに応じて設定することで、第１読取部５１は、第２導入口１２に挿入されて搬送ガイド２０に案内されるカードＣＡの上面の画像を好適に読み取ることができる。
【００９８】
つまり、実施例の画像読取装置１では、供給トレイ３０の開閉に応じて、ユーザの切替操作無しで第１読取部５１の位置を切り替えて、第１導入口１１に挿入されるシートＳＨの上面の画像と、第２導入口１２に挿入されるカードＣＡの上面の画像とをそれぞれ好適に読み取ることができる。
【００９９】
したがって、実施例の画像読取装置１では、ユーザの利便性を向上させることができる。
【０１００】
また、この画像読取装置１では、図５〜図７等に示すように、位置切替機構６が上記構成である開閉駆動伝達部６０、切替部材８０及び伝達部７０を有していることにより、供給トレイ３０の開閉に応じて第１読取部５１の位置を確実に切り替えることができる。また、センサやアクチュエータ等の電気部品を使用しない機械的な構成の位置切替機構６により、製造コストの低廉化を実現できる。
【０１０１】
さらに、この画像読取装置１では、図７等に示すように、伝達部７０が上記構成である太陽ギヤ７５、第１遊星ギヤ７１、第２遊星ギヤ７２及び連結部７３を有していることにより、切替部材８０の位置を確実に切り替えることができる。
【０１０２】
また、この画像読取装置１では、図７〜図９に示すように、切替部材８０の板状部分８５の第１歯８１と第１遊星ギヤ７１との噛み合い、又は板状部分８５の第２歯８２と第２遊星ギヤ７２との噛み合いにより、切替部材８０の位置を確実に切り替えることができる。
【０１０３】
さらに、この画像読取装置１では、板状部分８５は、第１歯８１と第２歯８２とに挟まれた領域において、すなわち、変位方向の中央部８３において歯が切り欠かれている。この構成により、切替部材８０が図７に示す第１切替位置にある状態から図８を経て、図９に示す第２切替位置にある状態となる。また、切替部材８０が図９に示す第２切替位置にある状態から図１０を経て、図７に示す第１切替位置にある状態となる。
【０１０４】
すななわち、供給トレイ３０が図１等に示す開位置から図４に示す閉位置に変位すると、開閉駆動伝達部６０が第２変位を回転軸６７Ｓに伝達して太陽ギヤ７５が逆回転する。そして、連結部７３が太陽ギヤ７５の逆回転に伴って逆回転方向Ｒ２に回動する。具体的には、連結部７３が図７に示す位置から図８に示す位置に回動する。これにより、第２遊星ギヤ７２が切替部材８０に当接し、板状部分８５の第２歯８２と第２遊星ギヤ７２とが噛み合う。この状態で、第２遊星ギヤ７２が逆回転方向Ｒ２とは反対方向に回転することにより、図８及び図９の直動方向Ｄ１に切替部材８０を変位させる。その結果、図９に示すように、切替部材８０が第２切替位置に変位した状態となる。こうして、位置切替機構６は、供給トレイ３０が図１等に示す開位置から図４に示す閉位置に変位するときに、第１読取部５１を図４に示す第２位置で支持される状態に切り替える。図９に示すように、切替部材８０が第２切替位置に変位した状態では、板状部分８５の歯が切り欠かれた中央部８３と第２遊星ギヤ７２とが対向する。その結果、切替部材８０を第２切替位置に確実に停止させることができる。
【０１０５】
その一方、供給トレイ３０が図４に示す閉位置から図１等に示す開位置に変位すると、開閉駆動伝達部６０が第１変位を回転軸６７Ｓに伝達して太陽ギヤ７５が正回転する。そして、連結部７３が太陽ギヤ７５の逆回転に伴って、図９に示す位置から正回転方向Ｒ１に回動する。具体的には、連結部７３が図９に示す位置から図１０に示す位置に回動する。これにより、第１遊星ギヤ７１が切替部材８０に当接し、板状部分８５の第１歯８１と第１遊星ギヤ７１とが噛み合う。この状態で、第１遊星ギヤ７１が正回転方向Ｒ１とは反対方向に回転することにより、図１０及び図７の直動方向Ｄ２に切替部材８０を変位させる。その結果、図７に示すように、切替部材８０が第１切替位置に変位した状態となる。こうして、位置切替機構６は、供給トレイ３０が図４に示す閉位置から図１等に示す開位置に変位するときに、第１読取部５１を図３に示す第１位置で支持される状態に切り替える。図７に示すように、切替部材８０が第１切替位置に変位した状態では、板状部分８５の歯が切り欠かれた中央部８３と第１遊星ギヤ７１とが対向する。その結果、切替部材８０を第１切替位置に確実に停止させることができる。
【０１０６】
さらに、供給トレイ３０が図１等に示す開位置にあってユーザが取っ手部９１を右向きに移動させて切替スイッチ部９０を図１１に示す第４切替位置に切り替えた後、第１読取部５１が図４に示す第２位置で支持される状態のままで、ユーザが供給トレイ３０を図４に示す閉位置に変位させる場合がある。この場合、図１１に示すように、切替部材８０が第２切替位置にあり、板状部分８５の歯が切り欠かれた中央部８３と第２遊星ギヤ７２とが対向している。このため、第２変位によって連結部７３が図１１に示す位置から逆回転方向Ｒ２に回動し、第２遊星ギヤ７２が切替部材８０に当接しても、第２遊星ギヤ７２は空転するだけであって、切替部材８０は動かない。その結果、第１読取部５１が図４に示す第２位置で支持される状態のままで、供給トレイ３０が図４に示す閉位置に変位できる。
【０１０７】
また、この画像読取装置１では、図１１に示すように、第１導入口１１に挿入されるシートＳＨの厚みの範囲が広い場合でも、ユーザが切替スイッチ部９０の取っ手部９１を移動させることによって、厚みの異なるシートＳＨのそれぞれに応じて、第１読取部５１の位置を切り替えることができる。この際、上記構成の伝達部７０によって、供給トレイ３０の開閉に伴う切替部材８０の変位と、切替スイッチ部９０の変位に伴う切替部材８０の変位とを両立させることができる。
【０１０８】
また、この画像読取装置１では、取っ手部９１の右向きの移動によって切替スイッチ部９０が第３切替位置から第４切替位置に切り替えられる際、図７及び図１２に示すように、板状部分８５の第１歯８１が第１遊星ギヤ７１を押す力Ｆ１が所定の圧力角α１に対応する方向に作用することによって連結部７３が逆回転方向Ｒ２に回動する。また、取っ手部９１の左向きの移動によって切替スイッチ部９０が第４切替位置から第３切替位置に切り替えられる際、図９に示すように、板状部分８５の第２歯８２が第２遊星ギヤ７２を押す力Ｆ２が所定の圧力角α１に対応する方向に作用することによって連結部７３が正回転方向Ｒ１に回動する。その結果、図１１に示すように、第１遊星ギヤ７１が板状部分８５の第１歯８１と噛み合わなくなるとともに、第２遊星ギヤ７２が板状部分８５の第２歯８２と噛み合わなくなる。これにより、切替スイッチ部９０が第３切替位置と第４切替位置とに切り替えらえる際に、第１遊星ギヤ７１及び第２遊星ギヤ７２が板状部材の第１歯８１及び第２歯８２と干渉して切替部材８０の変位を阻害することを抑制できる。
【０１０９】
さらに、この画像読取装置１では、図３及び図７等に示すように、伝達部７０が切替部材８０の上方に設けられているので、伝達部７０の配置スペースを確保し易い。
【０１１０】
また、この画像読取装置１では、供給トレイ３０は、図４に示す閉位置にある状態で取っ手部９１を覆う一方、図１等に示す開位置にある状態で取っ手部９１を開放する。この構成により、供給トレイ３０が図１等に示す開位置にある状態でのみ、ユーザが切替スイッチ部９０の取っ手部９１を移動させることができる。第２導入口１２に挿入されるカードＣＡの厚みの範囲が狭く、それらのカードＣＡに応じて第１読取部５１の位置を切り替える必要がない場合に、不要なユーザの切替操作を無くすことができる。
【０１１１】
さらに、この画像読取装置１では、筐体１０内に第１読取部５１と第２読取部５２とが設けられていることにより、搬送部４によって搬送されるシートＳＨ又はカードＣＡの両面の画像を好適に読み取ることができる。
【０１１２】
また、この画像読取装置１では、第１読取部５１は、搬送ガイド２０よりも上方の位置で支持されている。そして、図４に示す第２位置は、図３に示す第１位置よりも上方の位置である。この構成により、位置切替機構６は、搬送部４によって搬送されるシートＳＨ又はカードＣＡに対して上方に位置する第１読取部５１を第１位置から上向きに変位させて第２位置に切り替える。このため、第１読取部５１の第２位置への変位によってシートＳＨ又はカードＣＡの搬送が阻害されることを抑制できる。
【０１１３】
以上において、本発明を実施例に即して説明したが、本発明は上記実施例に制限されるものではなく、その趣旨を逸脱しない範囲で適宜変更して適用できることはいうまでもない。
【０１１４】
例えば、位置切替機構が供給トレイの開閉をセンサで検知し、アクチュエータを作動させることによって第１読取部の位置を切り替える構成も本発明に含まれる。
【０１１５】
切替部材の変位は直動する構成には限定されず、例えば回動してもよい。切替スイッチ部は、切替部材に一体成形された構成には限定されない。例えば、切替スイッチ部は、切替部材とは別体であり、ギヤやリンク等を介在させた状態で切替部材に接続されていてもよい。
【０１１６】
切替スイッチ部の取っ手部は、供給トレイが開位置にある状態で露出して操作可能となるとともに、供給トレイが閉位置に変位しても供給トレイに切り欠かれた開口部等によって露出して操作可能となってもよい。この場合、第２導入口に挿入される媒体の厚みが異なっても、供給トレイが閉位置にある状態でユーザが切替スイッチ部の取っ手部を移動させることにより、第１読取部の位置を切り替えることができる。
【０１１７】
実施例に係るスイッチバック用開口１４を第２導入口に変更し、筐体１０の後壁１７側からカードＣＡをその第２導入口に挿入し、排出口１３の右部分から排出する構成も本発明に含まれる。
【産業上の利用可能性】
【０１１８】
本発明は例えば、画像読取装置又は複合機等に利用可能である。
【符号の説明】
【０１１９】
１…画像読取装置、１１…第１導入口、１２…第２導入口
ＳＨ、ＣＡ…媒体（ＳＨ…シート、ＣＡ…カード）
２０…搬送ガイド、１０…筐体、３０…供給トレイ、４…搬送部
５１…第１読取部、６…位置切替機構、６０…開閉駆動伝達部、８０…切替部材
７０…伝達部、７５…太陽ギヤ、７１…第１遊星ギヤ、７２…第２遊星ギヤ
Ｘ７５…太陽ギヤの回転軸心、Ｘ７１…第１軸心、Ｘ７２…第２軸心
７３…連結部、Ｒ１…正回転方向、Ｒ２…逆回転方向、８５…板状部分
８１、８２…板状部分の歯（８１…第１歯、８２…第２歯）
８３…板状部分における変位方向の中央部、９１…取っ手部
９０…切替スイッチ部、α１…所定の圧力角、５２…第２読取部
Ｆ１…板状部分の歯が第１遊星ギヤを押す力
Ｆ２…板状部分の歯が第２遊星ギヤを押す力
【図１】
0006988457.tif 000002
【図２】
0006988457.tif 000003
【図３】
0006988457.tif 000004
【図４】
0006988457.tif 000005
【図５】
0006988457.tif 000006
【図６】
0006988457.tif 000007
【図７】
0006988457.tif 000008
【図８】
0006988457.tif 000009
【図９】
0006988457.tif 000010
【図１０】
0006988457.tif 000011
【図１１】
0006988457.tif 000012
【図１２】
0006988457.tif 000013